(57)【要約】【課題】画像や文書を直接指し示し音声で説明するコンテンツを容易に作成・配信・返信可能なシステムを提供する。【解決手段】画像または文書に対する操作と音声とを同期して記録し、画像または文書と操作および音声との関係を記述した関係データを作成する記録手段１２と、記録した操作および音声のデータと関係データとをサーバに送信する通信手段９と、関係データをサーバ１に保存し、クライアントに配信するデータ管理手段５と、配信された関係データを基に画像または文書を表示し、操作と音声を同期して再生する再生手段１３とを有する。【選択図】図１
2004015456.tif 000002
【特許請求の範囲】
【請求項１】
画像または文書と当該画像または文書に関する情報を、サーバを経由してクライアント間で交換するマルチメディア情報交換システムにおいて、当該画像または文書に対して行われた操作と当該操作中の音声とを同期して記録し、当該画像または文書と前記操作および音声との関係を記述した関係データを作成する記録手段と、前記記録手段において記録した音声および操作のデータと前記関係データとをサーバに送信する通信手段と、前記記録手段によって作成された関係データのサーバへの保存とクライアントへの配信を行うデータ管理手段と、前記データ管理手段によってサーバから配信された当該関係データを基に当該画像または文書を表示し、当該画像または文書に対して行われた操作と当該音声を同期して再生する再生手段とを有することを特徴とするマルチメディア情報交換システム。
【請求項２】
画像または文書と当該画像または文書に関する情報を、サーバを経由してクライアント間で交換するマルチメディア情報交換システムにおいて、当該画像または文書に対して行われた操作と当該操作中の音声とを同期して記録し、当該画像または文書と前記操作および音声との関係を記述した関係データを作成する記録手段と、前記記録手段において記録した音声および操作のデータと前記関係データとをサーバに送信する通信手段と、前記記録手段によって作成された関係データのサーバへの保存とクライアントへの配信を行うデータ管理手段と、前記データ管理手段によってサーバから配信された当該関係データを基に当該画像または文書を表示し、当該画像または文書に対して行われた操作と当該音声を同期して再生する再生手段と前記データ管理手段がクライアントに配信した第１の関係データから、少なくとも画像または文書の情報を取得して前記記録手段に通知する返信手段とを有し、前記記録手段は、前記返信手段から取得した画像または文書の情報を含む第２の関係データを作成することを特徴とするマルチメディア情報交換システム。
【請求項３】
請求項２に記載のマルチメディア情報交換システムにおいて、前記データ管理手段は、前記返信手段が第１の関係データから画像または文書の情報を取得して前記記録手段に通知し、当該記録手段が当該画像または文書を用いて新しい音声と操作とを記録して第２の関係データを作成した場合に、第２の関係データが第１の関係データを元に作成されたことを示す階層情報を保存することを特徴とするマルチメディア情報交換システム。
【請求項４】
請求項１から３のいずれかに記載のマルチメディア情報交換システムにおいて、前記画像または文書は、医用画像や診療記録や検査結果などの医療情報であることを特徴とするマルチメディア情報交換システム。
【請求項５】
請求項３または請求項４に記載のマルチメディア情報交換システムにおいて、前記データ管理手段で記録する前記階層情報は、症例検討会における議題と議題に対する発言の関係を記述し、診療情報を複数医師で討論できる環境を提供することを特徴とするマルチメディア情報交換システム。
【請求項６】
請求項３から５のいずれかに記載のマルチメディア情報交換システムにおいて、前記データ管理手段は階層情報を持つ複数の関係データを連続して配信し、前記再生手段は、前記複数の関係データを連続して再生することを特徴とするマルチメディア情報交換システム。
【請求項７】
請求項１から６のいずれかに記載のマルチメディア情報交換システムにおいて、クライアント画面上に、階層的に表示したコンテンツの一覧と、選択されたコンテンツに含まれる画像または文書と、前記再生手段によりコンテンツに含まれる音声および操作の再生を開始する再生ボタンを表示する表示手段を有することを特徴とするマルチメディア情報交換システム。
【請求項８】
請求項１から７のいずれかに記載のマルチメディア情報交換システムにおいて、クライアント画面上に、画像または文書と、前記記録手段による前記画像または文書に対する操作と音声の記録を開始する記録ボタンと、前記記録手段によって作成された関係データのサーバへの登録を開始する登録ボタンとを表示する表示手段を有することを特徴とするマルチメディア情報交換システム。
【請求項９】
請求項１から８のいずれかに記載のマルチメディア情報交換システムにおいて、前記データ管理手段を備え、記録手段と再生手段を有するソフトウエアをクライアントに配信するクライアントソフト配信手段を有することを特徴とするマルチメディア情報交換システムのサーバ装置。
【請求項１０】
請求項１から８のいずれかに記載のマルチメディア情報交換システムのソフトウエアが保存された媒体。
【発明の詳細な説明】
【０００１】
【発明の属する技術分野】
本発明は、画像または文書と当該画像または文書に関する情報を、サーバを経由してクライアント間で交換するマルチメディア情報交換システムおよびマルチメディア情報交換システムのサーバ装置、ならびに上記マルチメディア情報交換システムのソフトウエアを格納した媒体に関する。
【０００２】
【従来の技術】
従来技術の一例として、インターネット上で情報を交換する電子掲示板システムがある。その作り方は、例えばＣＧＩ／Ｐｅｒｌハンドブック（ソフトバンクパブリッシング）１８１−１８４頁などに紹介されている。電子掲示板システムでは、ユーザがクライアントのｗｅｂブラウザで入力した文章をサーバに送信すると、サーバでその文章を保存し、電子掲示板にアクセスしてきたクライアントにその文章を配信してｗｅｂブラウザ上に表示させることで情報交換を行う。画像や音声などのデータを掲示板に投稿したい場合には、画像データや音声データのＵＲＬを掲示板に記述することで実現している。
【０００３】
【発明が解決しようとする課題】
上記従来技術では、画像を直接指し示して音声で説明するようなコンテンツを発信する場合、まず、専用のソフトウエアによってマルチメディアデータを作成する必要がある。画像を表示するとともに画像上の位置を指し示すポインタを描き込む作業や音声の記録を行い、マルチメディアデータを作成する。その後、そのデータをサーバにアップロードし、さらにそのデータにリンクするためのＵＲＬを掲示板に投稿する必要がある。このように、画像を直接指し示して音声で説明するようなコンテンツを発信するには非常に多くの手間を要していた。
【０００４】
さらに、既に存在するマルチメディアデータからその画像などのデータを引用して、新たなマルチメディアデータを作成して投稿する方法については上記従来技術では考慮されていなかった。
【０００５】
本発明の目的は、画像や文書を直接指し示しながら説明するようなコンテンツを簡単に作成し、サーバを介して複数の人に配信可能にすること、また、参照したコンテンツの画像を引用して新たなコンテンツを容易に作成、配信できるようにするシステムを提供することにある。本発明は、例えば医用画像に医師がコメントを加えた議題に対し、多くの医師が議論を行う症例検討会のようなサービスを実現するのに好適なマルチメディア情報交換システムを提供することを目的としている。
【０００６】
【課題を解決するための手段】
上記目的を達成するため、本発明は、画像または文書に対して行われた操作と音声とを同期して記録し、画像または文書と操作および音声との関係を記述した関係データを作成する記録手段と、記録した操作および音声のデータと関係データとをサーバに送信する通信手段と、記録手段によって作成された関係データをサーバに保存し、クライアントに配信するデータ管理手段と、データ管理手段によってサーバから配信された関係データを基に画像または文書を表示し、画像または文書に対して行われた操作と音声を同期して再生する再生手段とを有するようにした。上記の構成により、マルチメディアデータの作成から配信までを容易に行えるようになる。
【０００７】
さらに本発明においては、データ管理手段がクライアントに配信した第１の関係データから、少なくとも画像または文書の情報を取得して記録手段に通知する返信手段を有するようにして、記録手段において第１の関係データの画像または文書を引用した第２の記録データを作成するようにした。
【０００８】
さらに本発明においてデータ管理手段は、返信手段が第１の関係データから画像または文書の情報を取得して記録手段に通知し、記録手段がその画像または文書を用いて新しい音声と操作とを記録して第２の関係データを作成した場合に、第２の関係データが第１の関係データを元に作成されたことを示す階層情報を保存するようにした。
【０００９】
本発明において画像または文書は、医用画像や診療記録や検査結果などの医療情報を用いる場合に好適であり、例えば診療情報を複数医師で討論する症例検討会を開催する場合などにおいて、データ管理手段は議題と議題に対する発言を階層情報によって管理し、データ管理手段は階層情報を持つ複数の関係データを連続して配信し、再生手段は複数の関係データからそのコンテンツを連続して再生するようにした。
【００１０】
さらに本発明においては、クライアント画面上に画像または文書と記録手段による画像または文書に対する操作と音声の記録を開始する記録ボタンと、記録手段によって作成された関係データのサーバへの登録を開始する登録ボタンとを表示する表示手段を有するようにした。
【００１１】
また、本発明のサーバは、データ管理手段を備え、記録手段と再生手段を有するソフトウエアをクライアントに配信するクライアントソフト配信手段を有するようにした。また、本発明の媒体は、上記システムのソフトウエアを保存するようにした。
【００１２】
【発明の実施の形態】
まず、インターネット上で医用画像に関して医師同士が議論する症例検討会を行う場合についての一実施例を、図１のシステム構成、図２、図３の画面例、図４のデータ構造、図５から図７のフローチャートを用いて説明する。
【００１３】
図１は本発明を用いて症例検討会を実現するマルチメディア情報交換システムの構成例を示す。サーバ１はネットワーク２を介してクライアント３と接続している。クライアント３は通常複数である。サーバ１は、ＷＷＷサーバ４を介して各クライアントと通信する。データ管理手段５は画像や文書、音声や操作などのデータと各データ間の関係を整理し、データベース６に格納する。また、クライアントソフト配信手段７は、画像を表示して音声や画像上の操作を記録するＪａｖａアプレットなどのクライアントソフトを管理して必要に応じてクライアントに配信する。
【００１４】
クライアント３は、ｗｅｂブラウザ８でサーバ１と通信する。ｗｅｂブラウザ８は、サーバ１のクライアントソフト配信手段７から配信されたＪａｖａアプレットが動作し、サーバ１と通信して画像や音声や操作、関係データを送受信する通信手段９、画像を表示してユーザの操作を受け付ける表示手段１０、音声の入出力を行う音声入出力手段１１、画像上の操作と音声とを同期して記録する記録手段１２、画像上の操作と音声とを同期して再生する再生手段１３、関係データから情報を取り出して記録手段に通知する返信手段１４などを持つ。
【００１５】
このように、クライアントソフトをサーバから配信することでクライアントソフトのメンテナンスやバージョンアップを集中して行えるという効果がある。さらに、記録手段により画像や文書に対する操作と音声を記録してマルチメディアデータを作成し、通信手段により記録データをサーバに送信するので、ユーザは少ない手間で容易にマルチメディアデータを作成・発信できる効果がある。
【００１６】
図２は、本発明を用いたマルチメディア情報交換システムの症例検討会を行う場合のクライアント３のｗｅｂブラウザ８上に表示されるクライアントソフトの画面の一例を示す図である。
【００１７】
症例検討会の画面は、議題や発言のリストを表示する領域２１と議題や発言などのコンテンツの詳細を表示する領域２２とに分かれる。リストを表示する領域２１には、症例検討会のカテゴリを選択するタブ２３があり、頭部、胸部、腹部などの部位を選択する。図中２４は選択したカテゴリに含まれる議題２５や発言２６の一覧を表示する領域で、議題と発言についてタイトルや発言者名などを、階層的に表示する。図中２７は新しい議題を作成する場合に押す新規作成ボタン、２８は議題に対して発言をしたい場合に押す発言ボタンである。
【００１８】
議題や発言の詳細を表示する領域２２には、議題と発言のリスト２４の中で選択された議題や投稿の詳細を表示する。投稿者名やタイトルや日付などの情報とともに、そのコンテンツに含まれる画像２９を表示し、画像上にはポインタ３０を表示する。また、再生ボタン３１、連続再生ボタン３３を押すことで、音声やポインタ操作を再生する。
【００１９】
このように、コンテンツを階層的に一覧表示することで、所望のコンテンツを容易に見つけられる効果がある。さらに、コンテンツを選択すると画像と再生ボタンを表示するので、再生ボタン３１を押すことで記録されている操作や音声による説明を容易に参照することができる効果がある。
【００２０】
図３は、本発明のマルチメディア情報交換システムを用いた症例検討会において、新しい議題や発言を作成する場合の画面を示す図である。図２において新規作成ボタン２７や発言ボタン２８を押すと図３の画面が表示され、投稿者名やタイトルを入力する領域とともに、画像３８やポインタ３９を表示する。また、音声と操作の記録開始を指示する記録ボタン３５、音声と操作の再生開始を指示する再生ボタン３１−２、記録や再生を停止する停止ボタン３６、記録したデータをサーバに登録する登録ボタン３７を表示する。
【００２１】
このように、同一の画面上で記録ボタン３５と登録ボタン３７を表示しているので、マルチメディアコンテンツの作成と作成データのサーバへの登録を一連の作業として容易に行うことができる効果がある。
【００２２】
図４は、図１のデータ管理手段５およびデータベース６で管理するデータ構成の一例を示す図である。頭部や胸部などカテゴリを示すテーブル４１、議題と発言を示すテーブル４２、議題や発言の詳細を示すテーブル４３、そして、画像データ４４、音声データ４５、操作データ４６がある。コンテンツはカテゴリの下に複数の議題、議題の下に複数の発言というように階層的に管理する。
【００２３】
議題や発言の詳細を示すテーブル４３では、タイトルや投稿者名や日付とともに、画像と音声と操作の各データの関係を示している。具体的には、画像データ、音声データ、操作データを特定する情報を示し、ここではファイルのＵＲＬを用いている。また、操作データ４６では、開始からの経過時間とともに、ポインタとその座標、線を記入していく座標など、画像に対して行う操作のコマンドを記述している。
【００２４】
このように、記録したコンテンツを階層的に管理することで、症例検討会の一覧をユーザに分かりやすく提示でき、ユーザが所望のコンテンツを容易に探し出すことができる著しい効果がある。
【００２５】
図５は、図２の画面において、新規作成ボタン２７を押して新しい議題を作成する場合の処理手順の一例を示すフローチャートである。新規作成ボタン２７を押すと、画像を指定する画面が現れ、クライアント上にある画像ファイルを指定すると、その画像を読み込んで準備する（５０１）。そして、表示手段１０で図３の画面を表示して画像３８を表示する（５０２）。ここでユーザが記録ボタン３５を押すと（５０３）、記録手段１２において、音声入出力手段１１から入力された音声と、表示手段１０で行われるユーザの操作（ここでは画面上のポインタ３９の移動）を記録し（５０４）、停止ボタン３６が押されるまでこれを続ける（５０５）。そして、ユーザが登録ボタン３７を押すと（５０６）、通信手段９は記録したデータをサーバ１に送信する（５０７）。
【００２６】
サーバ１では、データ管理手段５が、受信したデータをデータベース６に保存する（５０８）。具体的には、画像データ４４、音声データ４５、操作データ４６をデータベース６に保存し、さらに、画像データ４４、音声データ４５、操作データ４３の関係を示すデータ４３をデータベース６に保存する。そして、議題のテーブル４２を新たに作成し、現在選択されている胸部のカテゴリのテーブル４１に議題として追加することで、データの保存を完了する。
【００２７】
このように、記録手段１２において音声と画像上の操作とを記録し、データ管理手段５において画像、音声、操作のデータと各データ間の関係を示すデータを保存するので、画像を直接指し示し、音声で説明するようなコンテンツを容易に作成・発信することができるという顕著な効果がある。
【００２８】
図６は、図２の画面において議題や発言の内容を参照する場合の処理手順の一例を示すフローチャートである。図２の画面において、ユーザがタブ２３でカテゴリを選択すると（６０１）、通信手段９は、データ管理手段５から選択されたカテゴリの議題と発言のリスト４１、４２を取得し、図２の２４に一覧として表示する（６０２）。
【００２９】
ユーザが議題２５や発言２６を選択すると（６０３）、通信手段９は、データ管理手段５から選択された議題や発言の詳細データ４３や画像４４、音声４５、操作データ４６を取得する（６０４）。そして、再生手段１３でデータを解読し、表示手段１０で詳細の表示領域２２に画像２９を表示する（６０５）。
【００３０】
ここで、ユーザが再生ボタン３１を押すと（６０６）、再生手段１３は音声入出力手段１１で音声データ４５を再生するとともに、操作データ４６の時間に従って操作（ポインタ３０の移動など）を実行した結果を表示手段１０において表示する（６０７）。再生が終了するまで（６０８）これを行い、終了する。
【００３１】
このように、データ管理手段５でコンテンツを階層的に管理しているので、所望のコンテンツを容易に検索することができる。また、再生手段１３において、関係データより画像、音声、操作の各データを用意し、音声と操作を同期して再生するので、相手がその場で画像を指し示して説明しているようなコンテンツを参照できるという顕著な効果がある。
【００３２】
図７は、図２の画面において、発言ボタン２８を押した場合の処理手順の一例を示すフローチャートである。発言の前には、図６のフローチャートで説明した参照の処理によって、ある議題や発言が選択され、図２の画面上には画像が表示されている。発言ボタン２８を押すと、返信手段１４は、再生手段１３で使用した議題や発言の詳細４３から画像の情報を取得し、記録手段１２に通知する（７０１）。記録手段１２は、通知された画像の情報に基づき、画像２９と同じ画像３８を図３の画面に表示する（７０２）。
【００３３】
ここで、ユーザが記録ボタン３５を押すと（７０３）、記録手段１２では、音声入出力手段１１から入力される音声を記録するとともに、表示手段１０で行われるポインタ３９の操作などを記録し（７０４）、停止ボタン３６が押されるまで記録を行う（７０５）。記録が完了したら、登録ボタン３７を押すと（７０６）、通信手段９からデータをサーバ１に送信し（７０７）、データ管理手段５でデータをデータベース６に保存する（７０８）。具体的には、音声データ、操作データと、関係データをデータベース６に保存するとともに、議題のテーブル４２に新しい発言として追加する。
【００３４】
このように、返信手段１４によって前の議題や発言から画像の情報を引き継いで、記録手段１２で新しいコンテンツを作成するので、以前の議題や発言に対する返信コンテンツを容易に作成できる。また、既にサーバに登録済みの画像データを利用するので、再度画像を登録する必要がなく高速で、効率的に利用できるという顕著な効果がある。
【００３５】
また、これまで示したように、画像操作と音声とを記録再生するとともに、以前のコンテンツの情報を基に新たなコンテンツを作成するクライアントソフトをサーバから配信することで、クライアント側で専用のアプリケーションを用意する必要が無く、容易にコンテンツの作成や参照、返信などが利用できる効果がある。
【００３６】
以上示した手順で、画像上を直接指し示す操作と音声とを記録したマルチメディアコンテンツを作成、参照、返信することができるので、あたかも直接議論しているかのような会議を、利用者の時間を拘束せずに症例検討会を開催できる顕著な効果がある。
【００３７】
次に、症例検討会において、議題とそれ以下の一連の発言を連続して再生する方法の一例について、図８のフローチャートを用いて説明する。図２の画面において、ある議題２５を選択すると、議題と発言のテーブル４２の情報をデータ管理手段５から取得する（８０１）。再生手段１３は、表示手段１０で、詳細の表示領域２２に画像を表示する（８０２）。
【００３８】
ここで、ユーザが連続再生ボタン３３を押すと（８０３）、再生手段１３は、まず議題の音声と操作を再生する（８０４）。議題の再生が終了すると（８０５）、次の議題の有無を判断し（８０６）、次の発言の音声や操作のデータを用意して（８０７）。音声と操作を再生する（８０４）。こうして、全ての発言を再生するまで（８０６）繰り返すことで、一連の議題から発言までを一度に再生する。このように、連続再生によって議題とそれ以下の発言を続けて再生することで、症例検討会の一連の議論内容を容易に参照することができる効果がある。
【００３９】
上記実施例では、新規作成時に画像をクライアントが持つ画像を指定する方法について説明したが、他の方法を用いてもよい。例えば、一度画像ファイルをサーバ１のデータベース６に登録し、その画像をサーバ１からクライアントが取得して表示するようにしてもよい。この方法は、ｗｅｂブラウザからクライアント上のファイルへのアクセスが制限されている場合に適している。
【００４０】
また、画像を管理するデータベースを他に設け、そこにある画像にアクセスするようにしてもよい。例えば、医用画像を管理するＰＡＣＳ（Ｐｉｃｔｕｒｅ　Ａｒｃｈｉｖｉｎｇ　ａｎｄ　Ｃｏｍｍｕｎｉｃａｔｉｏｎ　Ｓｙｓｔｅｍ）やＤＩＣＯＭサーバなどと呼ばれる画像管理システムに保存された画像を用いるようにしてもよい。この場合、画像を特定する情報としてＵＲＬではなく、画像データベースにおける画像の特定情報を用いたり、議題や発言の詳細データに記述するようにしてもよい。このような方法により、医療機関などにある画像データベースをそのまま用いて情報交換を行うことができる。
【００４１】
上記実施例では、医用画像を用いた症例検討会を行う場合を例にして説明したが、他の場合にも本システムは適用可能である。例えば、画像の診断を他の医師に依頼する場合や、他の医師に診療について相談する場合などがある。この場合、データの構造はユーザのテーブルの下に送信箱や受信箱のテーブルを設ける構造とする。そして、依頼や相談を送信するときは相手先を指定する手順を加え、送信先ユーザの受信箱テーブルと、自分の送信箱テーブルにコンテンツを追加することで、１対１の情報交換を実現できる。また、他の例として、画像上を指し示して音声で説明する教育用のコンテンツを作成し、公開することに利用してもよい。このように、本発明のマルチメディア情報交換システムにより、医用画像を用いたさまざまな情報交換が実現できる。
【００４２】
また、上記実施例でのカテゴリは、頭部、胸部、腹部などの部位を用いる例について示したが、その他、循環器科、消化器科、脳外科、など診療科ごとの分類としてもよい。また、カテゴリはユーザの環境、使い方に応じて変更でき、階層的なカテゴリや、一つの議題が複数のカテゴリに属する構造を用いてもよい。本発明においてカテゴリは議題の検索を容易にする手段であるので、必ずしも必須ではない。
【００４３】
また、上記実施例では、データを階層的に管理するため、階層ごとにテーブルを設けていたが、データを階層的に登録、検索できれば、他の方法を用いてもよい。
【００４４】
また、上記実施例では、医用画像を用いる例について示したが、診療記録、レポート、検査結果などの医療用の書類を用いるようにしてもよい。また、医療用の画像や書類以外の、一般の書類や図面を用いるようにしてもよい。本発明のマルチメディア情報交換システムにより、あらゆる書類や図面を用いて、１対１、または１対多の情報交換を行うことができる。
【００４５】
上記実施例では、画像上で行う操作としてポインタを表示する例について説明したが、その他の操作を記録、再生するようにしてもよい。例えば、画像や文書に対する操作として、ポインタの他、線や図形や文字を描画する操作、これらを消す操作、画像や文書の拡大縮小、回転表示や反転表示、画像の濃度階調を変更する処理などを操作として指定してもよい。また、新たな画像や文書を表示する処理、表示位置を変更する処理、フィルタリングなどの画像処理を行う処理なども操作として記録再生できる。これら各種操作を組み合わせて使用することで、画像や文書をより相手に見やすく、また、自分の意図を分かりやすく表現する内容を、記録、再生して相手に伝えることができる。
【００４６】
本実施例では、クライアントのソフトウエアとしてＪａｖａアプレットを用いる例について示したが、他の方法を用いてもよい。例えば、ＡｃｔｉｖｅＸやｗｅｂブラウザのプラグインなど、サーバからソフトウエアを配信する方法を用いて利用可能なクライアントソフトウエアのあらゆる作成方法を用いることができる。
【００４７】
また、症例検討会以外の実施例として、複数人で簡単なアニメーションを作成していくシステム、書類について記入方法の説明や問い合わせを行うシステム、プレゼンテーションシステムなどを実現してもよい。
【００４８】
本発明のマルチメディア情報交換システムは、画像や文書に対する操作と音声とを記録・再生するコンテンツを容易に作成でき、さらに、以前のコンテンツの画像などを再利用して新たなコンテンツを容易に作成できるので、マルチメディアデータの発信やマルチメディアデータを用いた情報交換を行うさまざまなサービスに利用できる。
【００４９】
また、本システムは、サーバに機能を集中しているため、クライアントにはｗｅｂブラウザのみがあればよい。このため、サーバ装置を用意すれば容易にシステムを構築できるという利点を持つ。また、クライアント数を増加させることも容易であるという効果がある。
【００５０】
さらに、本マルチメディア情報交換システムのサーバ機能を実現するソフトウエアを媒体に記録することで、サーバ装置の構築も容易になる効果がある。また、既にｗｗｗサーバが稼動する装置が存在する場合、本媒体を用いてソフトウエアをインストールすることで、本マルチメディア情報交換システムを容易に構築できる効果がある。ここで示す媒体とは、フロッピーディスクやＣＤ−ＲＯＭなどの可搬型媒体、ネットワークなど通信媒体などを指す。
【００５１】
これまで示した実施例では、画像または文書に対する操作と音声とを記録再生する例について示したが、これにさらに映像などを同時に記録するようにしてもよい。音声とともに話者の顔などを撮影した映像を組合せ、声とともに表情や動作を伝えるようにしてもよい。
【００５２】
また、これまで示した実施例では、記録手段はクライアントにあり、音声や操作をクライアント側で蓄積して、登録時にサーバに送信する方法について示したが、他の方法を用いてもよい。例えば、クライアント側では入力された操作や音声を即サーバに送信し、サーバでデータを蓄積する。そして、登録ボタンを押した時点で、正式にデータベースに登録するような方法を用いてもよい。この方法では、クライアント側の処理の負担が軽くなるという効果がある。
【００５３】
また、これまで示した実施例では、コンテンツを参照する場合とコンテンツを作成する場合とで異なる画面を表示する方法について示したが、同一の画面で行うようにしてもよい。例えば、コンテンツを参照して、それに対して返信をする場合、その画面上の記録ボタンを押してそのまま新しいコンテンツを作成するようにしてもよい。また、返信手段を用いて前のコンテンツから引用する情報として、画像や文書の情報を用いる方法について示したが、音声や操作の情報も引用するようにしてもよい。この場合、前の音声や操作の後に、新しく記録した音声や操作を加える方法や、音声や操作のある時刻に、新しく記録した音声や操作を挿入する方法がある。このようにすることで、基になったコンテンツの情報も一緒に参照できるようになることに加え、データの挿入により会話をしているかのようなコンテンツを作成することも可能となる。
【００５４】
【発明の効果】
以上示したように、本発明のマルチメディア情報交換システムは、画像を直接指し示して音声で説明するコンテンツを参加者が容易に作成でき、他者に容易に送信・公開できる効果がある。さらに、議題に対する発言、コンテンツに対する回答、などのコンテンツを作成するとき、元の議題やコンテンツで利用している画像を再利用した新たなコンテンツを容易に作成できる効果がある。
【００５５】
さらに、症例検討会など、画像や文書に対して議論を進めるような会議が、あたかも直接議論しているような形式で、かつ、利用者の時間を拘束せずに開催できる効果がある。さらに、議題とそれに対する発言や、依頼や相談とそれに対する回答、などの関係を表現できる効果がある。議題と複数の発言、依頼や相談とそれに対する回答など、一連の情報を一度に参照できる効果がある。
【図面の簡単な説明】
【図１】本発明のマルチメディア情報交換システムの一構成例を示すブロック図。
【図２】本発明のシステムにおけるクライアント上の画面の一例を示す図。
【図３】本発明のシステムにおけるクライアント上の画面の一例を示す図。
【図４】本発明のシステムにおけるデータ構造の一例を示す図。
【図５】本発明のシステムにおけるコンテンツ新規作成時のフローチャートの一例を示す図。
【図６】本発明のシステムにおける、コンテンツ参照時のフローチャートの一例を示す図。
【図７】本発明のシステムにおける、コンテンツに対する返信時のフローチャートの一例を示す図。
【図８】本発明のシステムにおける、複数コンテンツ連続再生時のフローチャートの一例を示す図。
【符号の説明】
１…サーバ、２…ネットワーク、３…クライアント、４…ｗｗｗサーバ、５…データ管理手段、６…データベース、７…クライアントソフト配信手段、８…ｗｅｂブラウザ、９…通信手段、１０…表示手段、１１…音声入出力手段、１２…記録手段、１３…再生手段、１４…返信手段、２１…コンテンツの一覧を表示する領域、２２…コンテンツの詳細を表示する領域、２３…カテゴリ選択タブ、２４…議題と発言のリストを表示する領域、２５…議題、２６…発言、２７…新規作成ボタン、２８…発言ボタン、２９、３８…画像、３０、３９…ポインタ、３１…再生ボタン、３３…連続再生ボタン、３５…記録ボタン、３６…停止ボタン、３７…登録ボタン、４１…カテゴリを管理するテーブル、４２…議題を管理するテーブル、４３…議題・発言の詳細を管理するテーブル、４４…画像データ、４５…音声データ、４６…操作データ。
【図１】
2004015456.tif 000003
【図２】
2004015456.tif 000004
【図３】
2004015456.tif 000005
【図４】
2004015456.tif 000006
【図５】
2004015456.tif 000007
【図６】
2004015456.tif 000008
【図７】
2004015456.tif 000009
【図８】
2004015456.tif 000010